(57)【要約】【課題】光学式タッチパネルを用いるタッチパネル式入力装置においてより正確に物体放置を検出することのできる技術を提供する。【解決手段】発光素子５０及び受光素子６０からなる対を複数配置して、遮光領域からタッチパネル４の位置座標を検出するタッチパネル式入力装置１において、記憶部３３は、タッチパネル４上に物体がない状態における発光素子５０が光を発してから受光素子６０が光を検知するまでの時間である基準到達時間Ｔ０を記憶する。演算部３１は、光の遮蔽が検知された場合に、光の遮蔽を検知した発光素子５０及び受光素子６０の対とは異なる他の対の発光素子５０が光を発してから受光素子６０が光を検知するまでの時間である到達時間Ｔ１を算出する。比較部３２は、到達時間Ｔ１と基準到達時間Ｔ０との比較を行う。放置検出部３５は、到達時間Ｔ１及び基準到達時間Ｔ０の不一致が検出された場合には、タッチパネル４上に物体が放置されていると判断する。【選択図】図１
2011096085.tif 000002
【特許請求の範囲】
【請求項１】
光を発する発光素子及び該発光素子から発せられた光を受ける受光素子を対とし、該対を複数配置して、前記発光素子が発する光の遮光領域からタッチパネルの位置座標を検出するタッチパネル式入力装置であって、
前記タッチパネル上に前記発光素子が発する光を遮蔽する物体がない状態における、前記発光素子が光を発してから前記受光素子が該光を検知するまでの基準到達時間を記憶する記憶部と、
該対の光の遮蔽が検知された場合に、該対の光の遮蔽を検知した発光素子及び受光素子の対とは異なる他の対の発光素子が光を発してから受光素子が該他の対の光を検知するまでの到達時間を算出する演算部と、
前記演算部において算出した前記到達時間と、前記記憶部に記憶されている基準到達時間との比較を行う比較部と、
前記比較部において、前記到達時間及び前記基準到達時間を比較し、不一致が検出された場合には、前記タッチパネル上に物体が放置されていると判断する放置検出部と、
を備えることを特徴とするタッチパネル式入力装置。
【請求項２】
前記複数の発光素子の中から選択した一の発光素子から発光させ、該発光素子と対をなす受光素子、及び、該選択した発光素子と対をなす受光素子以外の受光素子であって該選択した発光素子が発した光を受光可能な位置に配置された受光素子のうち、いずれかにおいて光を検知するか否かにより、該選択した発光素子の不良の有無を判断する第１の判断部と、
前記複数の受光素子の中から選択した一の受光素子と対をなす発光素子、及び、該発光素子以外の発光素子であって、該選択した受光素子においては光の検知が可能な位置に配置された発光素子から発した光を、該選択した受光素子において受光するか否かにより、該選択した受光素子の不良の有無を判断する第２の判断部と、
を更に備え、
前記放置検出部は、前記比較部により前記到達時間及び前記基準到達時間の不一致が検出され、且つ光の遮蔽を検知した発光素子及び受光素子が、前記第１及び第２の判断部においてそれぞれ不良が無いと判断されたものである場合には、前記タッチパネル上に物体が放置されていると判断する
ことを特徴とする請求項１に記載のタッチパネル式入力装置。
【請求項３】
光を発する発光素子及び該発光素子から発せられた光を受ける受光素子を対とし、該対を複数配置して、前記発光素子が発する光の遮光領域からタッチパネルの位置座標を検出するタッチパネル式入力装置であって、
前記複数の発光素子の中から選択した一の発光素子から発光させ、該発光素子と対をなす受光素子、及び、該選択した発光素子と対をなす受光素子以外の受光素子であって該選択した発光素子が発した光を受光可能な位置に配置された受光素子のうち、いずれかにおいて光を検知するか否かにより、該選択した発光素子の不良の有無を判断する第１の判断部と、
前記複数の受光素子の中から選択した一の受光素子と対をなす発光素子、及び、該発光素子以外の発光素子であって、該選択した受光素子において光の検知が可能な位置に配置された発光素子から発した光を、該選択した受光素子において検知するか否かにより、該選択した受光素子の不良の有無を判断する第２の判断部と、
前記第１及び第２の判断部において不良が無いと判断された発光素子及び受光素子について光の遮蔽が検知された場合には、前記タッチパネル上に物体が放置されていると判断する放置検出部と、
を備えることを特徴とするタッチパネル式入力装置。
【請求項４】
光を発する発光素子及び該発光素子から発せられた光を受ける受光素子を対とし、該対を複数配置して、前記発光素子が発する光の遮光領域からタッチパネルの位置座標を検出するタッチパネル式入力装置において、該タッチパネル上に物体が放置されていることを検出する物体放置検出方法であって、
該対の光の遮蔽が検知された場合に、該対の光の遮蔽を検知した発光素子及び受光そしの対とは異なる他の対の発光素子が光を発してから受光素子が該他の対の光を検知するまでの到達時間を算出し、
前記算出した前記到達時間と、記憶部から読み出した、前記タッチパネル上に光を遮蔽する物体がない状態における、前記発光素子が光を発してから前記受光素子が該光を検知するまでの基準到達時間との比較を行い、
前記到達時間及び前記基準到達時間を比較し、不一致が検出された場合には、前記タッチパネル上に物体が放置されていると判断する
ことを特徴とする物体放置検出方法。
【請求項５】
光を発する発光素子及び該発光素子から発せられた光を受ける受光素子を対とし、該対を複数配置して、前記発光素子が発する光の遮光領域からタッチパネルの位置座標を検出するタッチパネル式入力装置において、該タッチパネル上に物体が放置されていることを検出する物体放置検出方法であって、
前記複数の発光素子の中から選択した一の発光素子から発光させ、該発光素子と対をなす受光素子、及び、該選択した発光素子と対をなす受光素子以外の受光素子であって該選択した発光素子が発した光を受光可能な位置に配置された受光素子のうち、いずれかにおいて光を検知するか否かにより、該選択した発光素子の不良の有無を判断し、
前記複数の受光素子の中から選択した一の受光素子と対をなす発光素子、及び、該発光素子以外の発光素子であって、該選択した受光素子において光の検知が可能な位置に配置された発光素子から発した光を、該選択した受光素子において検知するか否かにより、該選択した受光素子の不良の有無を判断し、
前記判断処理において不良が無いと判断された発光素子及び受光素子について光の遮蔽が検知された場合には、前記タッチパネル上に物体が放置されていると判断する
ことを特徴とする物体放置検出方法。
【発明の詳細な説明】
【技術分野】
【０００１】
本発明は、タッチパネルを備える入力装置に関し、特に、入力装置のタッチパネル上に物体が放置されていることを検出する技術に関する。
【背景技術】
【０００２】
近年では、タッチパネル等のタッチパネルを備える端末装置が、多くの場で用いられるようになってきている。タッチパネルは、各種方式により、利用者が押下した位置座標を検出する。タッチパネルの位置座標の検出方式の一つに、赤外線方式がある。
【０００３】
赤外線方式を採用するタッチパネルでは、発光素子（ＬＥＤ、Light Emitting Diode）から発せられたビームを受光素子において検出できない場合や検出レベルが低下した場合に、利用者によりタッチパネルの操作が行われたことを認識する。
【０００４】
赤外線方式によれば、タッチパネル上に物体が放置されているような場合であっても、操作がなされた場合と同様にビームが遮蔽されてしまうため、実際の利用者によるタッチパネルの操作と、タッチパネル上に物体が放置されていることとを区別する必要がある。そこで、ビームの遮蔽が所定の期間以上継続する場合には、タッチパネル上に物体が放置されていると判断する物体放置検知機能を備えるタッチパネルが提供されている。
【０００５】
タッチパネルに関する公知の技術として、例えば、ペーパーディスプレイの下部に、ペーパーディスプレイの押圧によるひずみを検知するタッチパネルを配置する技術について提供されている（例えば、特許文献１）。
【０００６】
また、歪みゲージを用いて、タッチパネルの押下によるひずみを計測する技術についても提供されている（例えば、特許文献２）。
【先行技術文献】
【特許文献】
【０００７】
【特許文献１】特開２００３−２８０８１２号公報
【特許文献２】特開２００６−２５２０９３号公報
【発明の概要】
【発明が解決しようとする課題】
【０００８】
上記の従来技術に係るタッチパネルの物体放置検知機能によれば、発光側または受光側のいずれかの素子不良によりビーム遮蔽が起こっている場合であっても、物体放置と判断することとなる。
【０００９】
従来は、素子不良により誤って物体放置が検知された場合であっても、タッチパネルのユーザに対して音声や表示等により報知して、放置物体の除去を依頼していた。物体放置と発光側または受光側の素子不良とを判別することが可能となれば、このような誤った報知をユーザに対して行わずとも済むようになる。
【００１０】
本発明は、赤外線式タッチパネル等の光学式タッチパネルを用いるタッチパネル式入力装置において、より正確に物体放置を検出することのできる技術を提供することを目的とする。
【課題を解決するための手段】
【００１１】
上記課題を解決するために、本発明に係るタッチパネル式入力装置は、光を発する発光素子及び該発光素子から発せられた光を受ける受光素子を対とし、該対を複数配置して、前記発光素子から発する光の遮光領域からタッチパネルの位置座標を検出するタッチパネル式入力装置であって、前記タッチパネル上に前記発光素子から発する光を遮蔽する物体がない状態における、前記発光素子が光を発してから前記受光素子が該光を検知するまでの基準到達時間を記憶する記憶部と、該対の光の遮蔽が検知された場合に、該対の光の遮蔽を検知した発光素子及び受光素子の対とは異なる他の対の発光素子が光を発してから受光素子が該他の対の光を検知するまでの到達時間を算出する演算部と、前記演算部において算出した前記到達時間と、前記記憶部に記憶されている基準到達時間との比較を行う比較部と、前記比較部において、前記到達時間及び前記基準到達時間を比較し、不一致が検出された場合には、前記タッチパネル上に物体が放置されていると判断する放置検出部とを備える構成とする。
【００１２】
または、光を発する発光素子及び該発光素子から発せられた光を受ける受光素子を対とし、該対を複数配置して、前記発光素子から発する光の遮光領域からタッチパネルの位置座標を検出するタッチパネル式入力装置であって、前記複数の発光素子の中から選択した一の発光素子から発光させ、該発光素子と対をなす受光素子、及び、該選択した発光素子と対をなす受光素子以外の受光素子であって該選択した発光素子が発した光を受光可能な位置に配置された受光素子のうち、いずれかにおいて光を検知するか否かにより、該選択した発光素子の不良の有無を判断する第１の判断部と、前記複数の受光素子の中から選択した一の受光素子と対をなす発光素子、及び、該発光素子以外の発光素子であって、該選択した受光素子において光の検知が可能な位置に配置された発光素子から発した光を、該選択した受光素子において検知するか否かにより、該選択した受光素子の不良の有無を判断する第２の判断部と、前記第１及び第２の判断部において不良が無いと判断された発光素子及び受光素子について光の遮蔽が検知された場合には、前記タッチパネル上に物体が放置されていると判断する放置検出部とを備える構成とする。
【発明の効果】
【００１３】
本発明に係るタッチパネル式入力装置によれば、光の遮蔽が検知された場合に、それが物体放置によるものであるのか、あるいは発光素子または受光素子の不良によるものであるかの切り分けが可能となるため、より正確に物体放置を検出することが可能となる。
【図面の簡単な説明】
【００１４】
【図１】第１の実施形態に係るタッチパネル式入力装置の構成図である。
【図２】タッチパネルへの物体放置による到達時間の変化を説明する図である。
【図３】初期到達時間テーブルの構造を示す図である。
【図４】第１の実施形態に係る物体放置を検出する処理を示したフローチャートである。
【図５】第２の実施形態に係るタッチパネル式入力装置の構成図である。
【図６】赤外線ビームの拡散を利用して物体放置を検出する方法を説明する図である。
【図７】第２の実施形態に係る物体放置を検出する処理を示したフローチャートである。
【発明を実施するための形態】
【００１５】
以下、本発明の実施の形態について、図面を参照して詳細に説明する。
＜第１の実施形態＞
図１は、第１の実施形態に係るタッチパネル式入力装置の構成図である。図１に示すタッチパネル式入力装置１は、パネル部２と、コントローラ部３とを有し、パネル部２を押下してユーザが入力した情報を、コントローラ部３において処理する。図１においては、本実施形態に係る物体検知処理に係わる構成のみを示しており、他の構成については記載を省略している。
【００１６】
パネル部２は、タッチパネル４、発光部５及び受光部６を有する。
タッチパネル４は、タッチパネル式入力装置１のユーザがタッチ面を押下して各種操作や情報の入力を行うために設けられている。タッチパネル４のタッチ面には、例えばアクリル等の材料を使用する。
【００１７】
発光部５及び受光部６は、それぞれ複数の発光素子５０及び受光素子６０を有する。発光素子５０及び受光素子６０は、同数ずつ対を成すように備えられ、発光素子５０は、所定の波長域の光を発光し、受光素子６０は、対をなす発光素子５０から発せられた光を受光する。発光素子５０は、実施例では、赤外線領域の波長の光を利用する。なお、それぞれ対は、それぞれの対の光路が略並行となるように配置されることが望ましい。
【００１８】
発光素子５０及び受光素子６０の対は、光軸がタッチパネル４のタッチ面の水平方向及び垂直方向となるように、タッチパネル４の外縁部に、互いに対向する位置に配置される。図１においては、図面の簡単のため、光軸を水平方向とする発光素子５０及び受光素子６０の対のみ記載している。
【００１９】
タッチパネル式入力装置１のコントローラ部３は、演算部３１、比較部３２、記憶部３３及び放置検出部３５を有する。図１においては本実施形態に係る物体放置の検出に係わる構成のみを示し、他の構成については記載を省略しているが、コントローラ部３は、パネル部２の発光部５及び受光部６から入力される信号により、赤外線ビームの遮蔽を検知した場合には、発光部５と受光部６との間すなわちタッチパネル４上に遮蔽物があると認識する。発光素子５０が発光する赤外線ビームの遮蔽が起こっている発光素子５０及び受光素子６０の対により、ユーザがタッチパネル４を押下した位置を認識する。赤外線式タッチパネル等の光学式タッチパネルの位置検出技術については、公知の技術であるので、詳細な説明は割愛する。
【００２０】
演算部３１は、パネル部２の発光部５及び受光部６から入力された信号により、発光素子５０が発光させてから受光素子６０が受光するまでの時間を求める。この発光素子５０から発せられた光が受光素子６０に到達するまでの時間を、以下の説明においては「到達時間」とする。
【００２１】
比較部３２は、演算部３１において求めた到達時間を、記憶部３３に記憶しているテーブル３４上の基準となる到達時間と比較する。基準となる到達時間とは、タッチパネル４上に物体が置かれていないときの到達時間を言い、以下の説明においては「基準到達時間」とする。
【００２２】
制御部３６は少なくとも、発光部５の発光素子５０の発光タイミング及び、受光部６の受光素子６０の受光タイミングを制御する。
なお、本実施形態においては、基準到達時間として、タッチパネル式入力装置１の初期状態における到達時間を用いている。これは、タッチパネル式入力装置１の起動時等の初期状態においては、タッチパネル４の上には何も置かれていないことが保証されているとの仮定に基づく。初期時における基準到達時間を、以下においては「初期到達時間」とする。演算部３１及び比較部３２の動作については、後で詳しく説明する。
【００２３】
放置検出部３５は、比較部３２において比較した結果に基づき、タッチパネル４上に物体が放置されているか否かを判断して検出する。
図１に示すタッチパネル式入力装置１は、所定の期間以上に渡って、あるいは所定の回数以上のタッチパネル４の押下を認識した場合には、それがユーザによるタッチパネル４の操作ではないと判断する。そして、発光部５の発光素子５０から発せられた光が受光部６の受光素子６０に到達するまでの到達時間を求め、求めた到達時間を利用して、タッチパネル４上に物体が放置されているのか、あるいは発光素子５０若しくは受光素子６０の側において障害が発生しているのかを判断する。
【００２４】
次に、図２を参照して、到達時間を利用して物体放置を検出する方法について具体的に説明する。
図２は、タッチパネル４への物体放置による到達時間の変化を説明する図であり、タッチパネル４を断面（側面）から見た図である。タッチパネル４上に何も置かれていない場合（図２（１））の発光素子５０及び受光素子６０の間の受発光距離をＬ０、到達時間をＴ０とし、タッチパネル４上に物体１０が放置されている場合（図２（２））の受発光距離をＬｘ、到達時間をＴｘとする。
【００２５】
図２（２）に示すとおり、タッチパネル４上に物体１０が置かれた状態である場合には、タッチパネル４が物体１０の重みにより下方にひずみが生じ、受発光距離Ｌ０とＬｘの関係は、Ｌ０≧Ｌｘを満たす。タッチパネル４上の物体１０の有無に係わらず、赤外線ビームの速度は変わらないため、到達時間Ｔ０とＴｘの関係についても、Ｔ０≧Ｔｘが成り立つ。これより、本実施形態においては、タッチパネル４の押下を所定の期間以上に渡り認識した場合等には、到達時間を求め、物体１０が置かれていないときの到達時間（基準到達時間）Ｔ０との比較を行う。そして、「求めた到達時間が基準到達時間Ｔ０を下回る」との条件を満たす場合には、物体放置と判断し、条件を満たさない場合には、物体１０により赤外線ビームの遮蔽が起こっているのではなく、発光素子５０または受光素子６０の不良と判断する。
【００２６】
なお、実施例では、到達時間が基準到達時間を下回る場合に、ビーム遮蔽が物体放置によるものであると判断しているが、これには限らない。例えば、ビーム遮蔽の検知された対については、到達時間を計測することができないため、他の対について到達時間を計測することとなる。
【００２７】
上記の実施例では、ビーム遮蔽の検知された対と比較的近傍に位置する対を選択して到達時間を計測する場合には、上記の条件（すなわち、到達時間が基準到達時間を下回るか否か）で物体放置の判断を行っているが、これには限らない。例えば、到達時間が基準到達時間と等しいか否かを判定し、互いに不一致の場合には物体放置と判断する構成も考えられる。
【００２８】
基準到達時間は、図１の記憶部３３のテーブルに格納しておく。上記のとおり、実施例では、タッチパネル式入力装置１の起動時等の初期状態における到達時間である初期到達時間を格納する。
【００２９】
図３は、初期到達時間テーブル３４の構造を示す図である。図３に示すテーブルのうち、各行は発光部５の発光素子（図３においてはＥ１、ＥＮ等、Ｎは自然数）５０のそれぞれを、各列は受光部６の受光素子（図３においてはＲ１、Ｒｎ等、ｎは自然数）６０のそれぞれを表し、交差する箇所には、対応する発光素子５０と受光素子６０との間の初期到達時間が格納されている。以下の説明においては、互いに対をなす発光素子５０及び受光素子６０については、それぞれアルファベットの大文字及び小文字で表現することとする。例えば、Ｎ番目の発光素子ＥＮとｎ番目の受光素子Ｒｎとは互いに対をなす関係とする。また、本実施例においては、Ｎ＝ｎの関係で説明しているがこれに限られるものではなく、他のタッチパネルの構成としてＮ＝ｎの関係を満たさない構成としても良い。
【００３０】
発光部５に設けられた複数の発光素子５０のうち、ある発光素子５０から発せられたビームは、図１においても模式的に示しているとおり、拡散により、対をなす受光素子６０だけでなく、近傍の他の受光素子６０にも届く。発光素子５０と受光素子６０との対のうち、互いにビームを送受できない対については、初期到達時間を計測不能であるとして、初期到達時間テーブル３４には値が格納されない。図３では、網掛けで示す箇所がこれに該当する。網掛けで示す以外の対については、ビームの送受が可能であり、初期到達時間の計測が可能であり、値が格納されていることを示している。
【００３１】
なお、初期到達時間Ｔ０は、タッチパネル式入力装置１の起動時等の初期化時に測定して初期到達時間テーブル３４に格納する構成としてもよいし、タッチパネル式入力装置１の出荷時等に設定する構成としてもよい。あるいは、タッチパネル式入力装置１のユーティリティソフトウェア等を起動して初期到達時間を測定し、初期到達時間テーブル３４に測定値を格納する構成としてもよい。
【００３２】
次に、図３に示す初期到達時間テーブル３４に格納されている初期到達時間を用いて物体放置を検出する方法について、フローチャートを参照して説明する。
図４は、本実施形態に係る物体放置を検出する処理を示したフローチャートである。タッチパネル式入力装置１が起動され、ユーザによりタッチパネル式入力装置１の使用が開始されたことを契機として、図４に示す処理を開始する。なお、図４に示す処理の開始に際しては、上記のとおり、初期到達時間テーブル３４に初期到達時間Ｔ０が格納され、テーブルが作成されていることが前提となる。
【００３３】
まず、ステップＳ１で、赤外線ビームの遮蔽を検知する。すなわち、発光部５の各発光素子５０から発せられた赤外線ビームのうち、受光部６の受光素子６０のいずれにおいても受光されないことを検知する。赤外線ビームの遮蔽を検知した発光素子５０、受光素子６０の対を（ＥＮ、Ｒｎ）とする。対（ＥＮ、Ｒｎ）は、例えば図１においては図面上からそれぞれＮ番目及びｎ番目の発光素子５０及び受光素子６０の対を表し、赤外線ビームを受光できなかった受光素子Ｒｎと、これと対をなす発光素子ＥＮからなる。
【００３４】
ステップＳ２で、赤外線ビームの遮蔽が所定の時間以上、あるいは所定回数以上に渡り継続するか否かを判定する。赤外線ビームが遮蔽されている状態が所定の時間内あるいは所定回数内に終了した場合には、ステップＳ６に進み、ビーム遮蔽はユーザのタッチパネル４の操作によるものと判定し、物体放置検出の処理を終了する。
【００３５】
一方、ステップＳ２において、赤外線ビームの遮蔽が所定の時間以上あるいは所定回数以上継続していると判定した場合には、ステップＳ３に進み、到達時間を初期到達時間Ｔ０と比較する。具体的には、赤外線ビームの遮蔽を検出した対（ＥＮ、Ｒｎ）以外の対についてのビーム遮蔽を検知する直前の到達時間と、初期到達時間テーブル３４から読み出した対応する初期到達時間Ｔ０とを比較する。
【００３６】
上記のとおり、実施例では、所定の時間以上あるいは所定回数以上に渡りビーム遮蔽が継続するか否かに基づいて、赤外線ビームの遮蔽がユーザのタッチパネル４の操作等によるものであるか否かを判定している。これは、操作によるタッチの場合には、タッチ面にタッチしたあとは指を離すために通常一定時間内にてビーム遮蔽状態が解除されるが、物体放置の場合には除去されるまでは遮蔽状態が継続される、という相違を利用したものである。
【００３７】
また、Ｓ／Ｎ比を（signal-noise ratio）を向上させるため、タッチパネル式入力装置では、一般的に、赤外線ビームの投光及び遮蔽については発光部５及び受光部６の各素子の状態を周期的に監視しており、所定の時間以上あるいは所定の監視回数以上に渡って投光／遮蔽状態が継続していることをもって、ビームの状態（投光または遮蔽のいずれの状態であるか）を判断している。
【００３８】
ステップＳ２において比較に利用する対を、（ＥＮ−Ａ、Ｒｎ−ａ）とする。（ＥＮ−Ａ、Ｒｎ−ａ）としては、赤外線ビームの遮蔽が検出された対（ＥＮ、Ｒｎ）と近接し、タッチパネル４上に物体が置かれている場合には、タッチパネル４に生じたひずみが到達時間に影響を与え得る程度の位置にあるが、ビーム遮蔽は生じていない対を利用する。
【００３９】
なお、上記の例では、ステップＳ３において、１対（ＥＮ−Ａ、Ｒｎ−ａ）についての到達時間Ｔ１を初期到達時間Ｔ０と比較しているが、これに限らない。上記の条件を満たすより多くの対のそれぞれについて到達時間Ｔ１を求め、それぞれの初期到達時間Ｔ０との比較を行うことで、物体放置と、発光素子５０又は受光素子６０の不良との判別の精度を更に向上させることができる。
【００４０】
対（ＥＮ−Ａ、Ｒｎ−ａ）について計測した到達時間Ｔ１（Ｎ−Ａ、ｎ−ａ）と、対（ＥＮ−Ａ、Ｒｎ−ａ）について初期到達時間テーブル３４から読み出したＴ０（Ｎ−Ａ、ｎ−ａ）との大小関係を比較すると、ステップＳ４に進む。
【００４１】
ステップＳ４においては、到達時間Ｔ１と初期到達時間Ｔ０とを比較した結果、計測した到達時間Ｔ１は初期到達時間Ｔ０を下回るか否かを判定する。到達時間Ｔ１が初期到達時間Ｔ０以上の値をとる場合には、ステップＳ７に進む。そして、ビーム遮蔽は、ビーム遮蔽の検知された対（ＥＮ、Ｒｎ）のうち、発光側もしくは受光側のいずれかにおける素子不良であると判断し、処理を終了する。
【００４２】
一方、到達時間Ｔ１が初期到達時間Ｔ０を下回る場合には、ステップＳ４からステップＳ５に進み、対（ＥＮ、Ｒｎ）のビーム遮蔽は物体放置によるものであると判断して物体放置を検出し、処理を終了する。
【００４３】
上記のステップＳ５において、物体放置を検出した場合には、タッチパネル４上に物体が放置されている旨の通知を音声や表示等することにより、ユーザに通知することが望ましい。
【００４４】
なお、ビーム遮蔽を検知した対（ＥＮ、Ｒｎ）から距離の離れた位置にある対ほどひずみは小さくなり、初期到達時間Ｔ０と、計測した到達時間Ｔ１との差が小さくなる。この傾向をステップＳ４の判断条件に加味して判断を行う等の方法をとることにより、更にＳ／Ｎ比を向上させることもできる。
【００４５】
以上説明したように、本実施形態に係るタッチパネル式入力装置１によれば、ビーム遮蔽が所定の時間以上に渡って検知された場合等には、タッチパネル４にひずみが生じているか否かを、ビームが発光素子５０から受光素子６０に到達するまでの時間（到達時間）を計測して、物体が放置されていない場合に要する時間（基準到達時間、初期到達時間）と比較を行う。計測した時間が比較した時間を下回る等、互いに一致しない場合には、物体放置によりタッチパネル４にひずみが生じていると判断する。ビーム遮蔽が物体放置によるものであるか、あるいは素子側の不良によるものであるかの切り分けが可能となり、より正確に物体放置を検出することが可能となる。
【００４６】
＜第２の実施形態＞
上記の実施形態に係るタッチパネル式入力装置１においては、物体放置の場合には、タッチパネル４の物体の置かれている箇所にひずみが生じることを利用して、物体放置を検出している。すなわち、発光素子５０から発せられた赤外線ビームが受光素子６０に到達するまでの時間を、物体が置かれていないときに要する時間と比較することにより、物体放置と素子不良との切り分けを行っている。
【００４７】
これに対し、本実施形態に係るタッチパネル式入力装置では、発光部５から発せられた赤外線ビームが拡散することを利用して、予め発光側または受光側の素子不良であるか否かを判断することにより、赤外線ビームの遮蔽を検知したときに、物体放置か素子不良によるものかの判断を行っている点で異なる。
【００４８】
以下に、図面を参照して本実施形態に係るタッチパネル式入力装置において物体放置を検出する方法について、具体的に説明する。
図５は、第２の実施形態に係るタッチパネル式入力装置の構成図である。上記の実施形態に係るタッチパネル式入力装置１と同様の構成については詳細な説明は省略し、異なる点を中心に説明することとする。
【００４９】
図５に示すタッチパネル式入力装置１Ａのうち、パネル部２の構成については図１に示す構成と同様である。コントローラ部７は、障害判断部７１、放置検出部７４及び記憶部７５を有する。
【００５０】
障害判断部７１は、発光側障害判断部７２と受光側障害判断部７３とを有し、赤外線ビームの受発光を行う素子について障害の有無を判断する。発光側障害判断部７２及び受光側障害判断部７３は、それぞれ発光部５及び受光部６の素子につき、不良であるか否かを判断する。
【００５１】
記憶部７５は、障害判断部７１において素子不良と判断された発光素子５０や受光素子６０を特定する情報を記憶する。
放置検出部７４は、障害判断部７１の判断結果に基づき、タッチパネル４上に物体が放置されていることを検出する。
【００５２】
図５に示すタッチパネル式入力装置１は、発光部５のある発光素子５０から発せられた赤外線ビームが受光部６の複数の受光素子６０のうちいずれかにおいて受光できた場合には、発光素子５０については不良なしと判断する。また、受光部６のある受光素子６０について、発光部５の複数の発光素子５０から発せられた赤外線ビームのいずれかを受光できた場合には、受光素子６０については不良なしと判断する。このようにして、予め素子不良を判断しておくことにより、物体放置と素子不良との判別を行う。
【００５３】
図６は、赤外線ビームの拡散を利用して物体放置を検出する方法を説明する図である。
複数の発光素子５０及び受光素子６０の対のうち、Ｎ番目の対による光軸について説明する。Ｎ番目の発光素子（ＥＮとする）５０から発せられた赤外線ビームは、これと対を成すｎ番目の受光素子（Ｒｎとする）６０で受光される。ここで、発光素子ＥＮから発せられるビームは、その拡散により、対応する受光素子（Ｒｎ）６０だけでなく、Ｒｎ近傍の他の受光素子６０においても受光される。
【００５４】
図６に示す例では、Ｎ番目の発光素子（ＥＮ）５０から発せられた赤外線ビームは、拡散により、対の受光素子（Ｒｎ）６０や、Ｒｎの近傍に位置する受光素子（Ｒｎ−ｍ〜Ｒｎ＋ｍ）６０により受光が可能であるとする。
【００５５】
ここでは、ある発光素子５０から発せられた赤外線ビームを検知可能な受光素子６０は、ビームを発する発光素子５０対をなす受光素子６０、及び、この受光素子６０から数えて±ｍ（ｍは正の整数）個の受光素子６０の合計２ｍ＋１個の受光素子６０であると仮定している。この場合、Ｎ―Ｍ番目の発光素子ＥＮ−Ｍから発せられた赤外線ビームについては、受光素子Ｒｎ−２ｍ〜Ｒｎにより受光が可能である。
【００５６】
タッチパネル４上に置かれた物体１０により、発光素子ＥＮから発せられたビームが対の受光素子Ｒｎにおいて受光できないとしても、Ｒｎにおいて他の発光素子（例えば図６のＥＮ−Ｍ）から発せられたビームを受光できる場合には、Ｒｎの素子不良ではない、と判断することができる。また、発光素子ＥＮから発せられたビームが対の受光素子Ｅｎにおいて受光されないとしても、他の受光素子（たとえば図６のＲｎ−ｍ）において受光できる場合には、ＥＮの素子不良ではない、と判断することができる。
【００５７】
本実施形態に係るタッチパネル式入力装置１Ａは、このことを利用して、予め発光素子５０や受光素子６０の中に不良素子が含まれていないか判断しておく。そして、素子不良により検知されるビーム遮蔽を判別して、物体放置によるビーム遮蔽をより正確に検出することを可能とする。なお、この不良素子判断は、起動時だけに限らず、適時行う処理としても良い。これにより不良素子判断の精度を上げることが可能となる。
【００５８】
図７は、本実施形態に係る物体放置を検出する処理を示したフローチャートである。タッチパネル式入力装置１が起動されたことを契機として、図７に示す処理を開始する。
まず、ステップＳ１１で、ある発光素子（ＥＮとする）から赤外線ビームを発光させ、ステップＳ１２で、ＥＮから発せられたビームを受光可能な受光素子（Ｒｎ−ｍ〜Ｒｎ＋ｍ）６０で受光するかを監視する。そして、ステップＳ１３で、ステップＳ１２において監視した結果、ｎ−ｍ番目からｎ＋ｍ番目の受光素子６０のうち、いずれかにおいて受光を検知したか否かを判定する。
【００５９】
Ｒｎ−ｍ〜Ｒｎ＋ｍの受光素子６０のいずれにおいても発光素子ＥＮ５０からのビームを検知できなかった場合には、ステップＳ１４に進む。ステップＳ１４においては、Ｎ番目の発光素子ＥＮの素子不良と判定し、記憶部７５に素子不良の発光素子としてＥＮを記憶させると、ステップＳ１５に進む。
【００６０】
Ｒｎ−ｍ〜Ｒｎ＋ｍの受光素子６０の少なくとも１つにより発光素子ＥＮ５０からのビームを検知できた場合には、特に処理を行わず、ステップＳ１５に進む。
ステップＳ１５では、ある受光素子（Ｒｎとする）においてビームを受光可能な発光素子（ＥＮ−Ｍ〜ＥＮ＋Ｍ）から赤外線ビームを発光させ、ステップＳ１６で、ＥＮ−Ｍ〜ＥＮ＋Ｍの発光素子５０から発せられたビームを受光素子Ｒｎにおいて受光するかを監視する。そして、ステップＳ１７で、ステップＳ１６において監視した結果、Ｎ−Ｍ番目からＮ＋Ｍ番目の発光素子５０のうちいずれかにつき、発したビームが受光素子Ｒｎにおいて受光されたか否かを判定する。
【００６１】
受光素子Ｒｎにおいて、ＥＮ−Ｍ〜ＥＮ＋Ｍの発光素子５０から発せられたビームのいずれも検知できなかった場合には、ステップＳ１８に進む。ステップＳ１８においては、ｎ番目の受光素子Ｒｎの素子不良と判定し、記憶部７５に素子不良の受光素子としてＲｎを記憶させると、ステップＳ１９に進む。
受光素子Ｒｎにおいて、ＥＮ−Ｍ〜ＥＮ＋Ｍの発光素子５０のうち少なくとも１つから発せられたビームを検知できた場合には、特に処理を行わず、ステップＳ１９に進む。
【００６２】
上記のステップＳ１１〜ステップＳ１８までの処理を、発光部５及び受光部６に含まれる全ての発光素子５０及び受光素子６０について実行すると、ステップＳ１９で、赤外線ビームの遮蔽を待ち受ける。ビームの遮蔽を検知すると、ステップＳ２０に進む。
ここではステップＳ１１〜ステップＳ１８までの処理完了後にステップＳ１９で、赤外線ビームの遮蔽を待ち受けるとしたが、ステップＳ１９で、赤外線ビームの遮蔽を待ちうけているあいだにもステップＳ１１〜ステップＳ１８までの処理を定期的に行うことで素子状態を最新状態に更新し、より正確に物体放置を検出することも可能である。
【００６３】
なお、本実施形態に係るタッチパネル式入力装置１Ａにおいて赤外線ビームの遮蔽を検知する方法については、上記実施形態におけるそれと同様である。また、ここでは、ステップＳ１９においてビームの遮蔽を検知した発光素子５０及び受光素子６０の対を（ＥＮ、Ｒｎ）とする。
【００６４】
ステップＳ２０で、記憶部７５に格納されている情報を参照し、ビームの遮蔽を検知した対（ＥＮ、Ｒｎ）については、ステップＳ１４及びステップＳ１８において素子不良と判定されたか否かを判定する。ＥＮまたはＲｎのいずれかが素子不良と判定されたものである場合には、ステップＳ２３に進む。そして、ビーム遮蔽は発光側もしくは受光側の素子不良によるものであると判断し、処理を終了する。
【００６５】
一方、発光素子ＥＮ及び受光素子Ｒｎのいずれについても素子不良と判定されたものでない場合には、ステップＳ２１に進み、赤外線ビーム遮蔽が所定の時間以上（あるいは所定回数以上）継続するか否かを判定する。
【００６６】
赤外線ビームが遮蔽されている状態が所定の時間内（あるいは所定回数内）に終了した場合には、ステップＳ２４に進み、ビーム遮蔽はユーザのタッチパネル４の操作によるものと判定し、処理を終了する。
【００６７】
一方、ステップＳ２１において、赤外線ビームの遮蔽が所定の時間以上あるいは所定回数以上継続していると判定した場合には、ステップＳ２２に進み、対（ＥＮ、Ｒｎ）のビーム遮蔽は物体放置によるものであると判断し、処理を終了する。物体放置を検出した場合には、上記実施形態についてと同様に、タッチパネル４上に物体が放置されている旨の通知を音声や表示等することにより、ユーザに通知することが望ましい。
【００６８】
以上説明したように、本実施形態に係るタッチパネル式入力装置１Ａによれば、ビームが拡散する性質を利用して、予め発光側または受光側の素子について障害の有無を判断しておく。具体的には、発光素子５０から発せられたビームが複数の受光素子６０のうちいずれかにおいて検知されたか否かにより、発光側の素子不良を判断し、受光素子６０が、複数の発光素子５０のそれぞれから発せられたビームのいずれかを検知することができるか否かにより、受光側の素子不良を判断する。ビーム遮蔽が所定の時間以上に渡って検知された場合等には、予め判断しておいた素子不良の有無についての情報を参照し、素子不良でない場合には、物体放置と判断する。ビーム遮蔽が物体放置によるものであるか、あるいは素子側の不良によるものであるかの切り分けが可能となり、より正確に物体放置を検出することが可能となる。
【００６９】
＜第３の実施形態＞
本実施形態に係るタッチパネル式入力装置は、第１の実施形態に係るタッチパネル式入力装置１において、ひずみを利用する方法と、第２の実施形態に係るタッチパネル式入力装置１Ａにおいて、ビームの拡散を利用することにより素子不良を予め判断しておく方法とを組み合わせることにより、タッチパネル４上に物体が放置されていることを検出することを特徴とする。
【００７０】
本実施形態に係るタッチパネル式入力装置は、図１に示すコントローラ部３の構成と、図５に示すコントローラ部７の構成とを組み合わせた構成である。すなわち、パネル部２からの信号が、演算部３１及び障害判断部７１に与えられる。そして、演算部３１は、演算結果を比較部３２に渡し、比較部３２は演算部３１から入力された到達時間Ｔ１と、記憶部３３から読み出した初期到達時間Ｔ０とを比較する。放置検出部は、比較部３２における比較の結果と障害判断部７１における判断結果とを利用して、物体放置を検出する。
【００７１】
本実施形態に係る物体放置検出方法は、第２の実施形態に係る方法すなわちビーム拡散を利用する方法のうち、図７のステップＳ１９〜ステップＳ２４までの処理（図７においては※印で示す処理）を、図４に示す一連の処理（図４のステップＳ１〜ステップＳ７までの処理）に置き換えて実行することにより実現できる。
【００７２】
例えば、発光素子５０や受光素子６０と物体が置かれている場所との距離が近いような場合には、ビームの拡散を利用した素子不良の切り分けが難しくなる。このような場合であっても、タッチパネル４に生じるひずみを利用して物体放置の判断を行うことで、素子不良と物体放置との判別の精度を向上させることが可能となる。また、タッチパネル４上に放置されている物体の質量等によっては、生じるひずみ量が比較的小さい場合がある。このような場合であって、ビームの拡散を利用して予め素子不良の判断を行っておくことで、より正確に物体放置を検出することが可能となる。
【符号の説明】
【００７３】
１、１Ａ  タッチパネル式入力装置
２      パネル部
３      コントローラ部
４      タッチパネル
５      発光部
６      受光部
７      コントローラ部
１０    物体
３１    演算部
３２    比較部
３３    記憶部
３４    初期到達時間テーブル
３５    放置検出部
３６    制御部
７１    障害判断部
７２    発光側障害判断部（第１の判断部）
７３    受光側障害判断部（第２の判断部）
７４    放置検出部
７５    記憶部
【図２】
2011096085.tif 000003
【図４】
2011096085.tif 000004
【図６】
2011096085.tif 000005
【図７】
2011096085.tif 000006
【図１】
2011096085.tif 000007
【図３】
2011096085.tif 000008
【図５】
2011096085.tif 000009